(57)【要約】      （修正有）【課題】外板部材の端部同士を係合構造を介して接続するようにした外装ケースを有する貯湯給湯装置を提供する。【解決手段】貯湯槽と、補助熱源機と、複数のフレーム部材(5)と複数の外板部材とからなる外装ケースとを備え、外装ケースの複数の面のうち少なくとも１面は複数の外板部材(9,10)を有し、これら外板部材(9,10)の接続部には複数の外板部材の一端部分同士が重なるラップ部(12,13)が設けられている貯湯給湯装置において、一方の外板部材(9)のラップ部(12)は、外装ケース内方へ段押しされた段押部(14)と、この段押部(14)の端部がコ字状に形成された第１コ字状部(15)を有し、他方の外板部材(10)のラップ部(13)は、外装ケース内方へ折り返された折返部(16)と、折返部(16)の端部がコ字状に形成された第２コ字状部(17)を有し、第１コ字状部(15)が第２コ字状部(17)に係合されている。【選択図】図５
2020159603.tif 000002
【特許請求の範囲】
【請求項１】
湯水を貯留する貯湯槽と、この貯湯槽内の湯水が低温の場合に加熱する燃焼式の補助熱源機と、前記貯湯槽と前記補助熱源機とを内蔵し且つ複数のフレーム部材と、薄鋼板からなる複数の外板部材とから構成された外装ケースとを備えた貯湯給湯装置であって、
前記外装ケースの複数の面のうち少なくとも１面は複数の外板部材を有し、これら外板部材の接続部には複数の外板部材の一端部分同士が重なるラップ部が設けられている貯湯給湯装置において、
一方の外板部材のラップ部は、外装ケース内方へ段押しされた段押部と、前記段押部の端部がコ字状に形成された第１コ字状部を有し、
他方の外板部材のラップ部は、外装ケース内方へ折り返された折返部と、前記折返部の端部がコ字状に形成された第２コ字状部を有し、
前記第１コ字状部が前記第２コ字状部に係合されていることを特徴とする貯湯給湯装置。
【請求項２】
前記第１コ字状部に係合した補強金具が前記フレーム部材に固定されていることを特徴とする請求項１に記載の貯湯給湯装置。
【請求項３】
前記第１，第２コ字状部が形成される複数の外板部材の外表面は同一鉛直面を形成している
ことを特徴とする請求項１又は２に記載の貯湯給湯装置。
【発明の詳細な説明】
【技術分野】
【０００１】
本発明は、貯湯槽と燃焼式の補助熱源機とこれらの機器を内蔵する外装ケースとを備えた貯湯給湯装置に関し、特に外装ケースの構造に特徴を有するものである。
【背景技術】
【０００２】
湯水を貯留する貯湯槽と、この貯湯槽内の湯水が低温の場合に加熱する燃焼式の補助熱源機と、前記貯湯槽と前記補助熱源機等の機器類を内蔵する外装ケースとを備えた貯湯給湯装置は広く実用に供されている。
通常、貯湯給湯装置は屋外に設置されることが多いため、外装ケースによって内部の機器類に雨水がかからないように保護されている。外装ケースは、柱部材や桟部材からなる複数のフレーム部材を組み合わせて構成されたほぼ直方体形状のケース本体の天面及び４つの側面部に夫々外板部材を固定して形成されている。
【０００３】
特許文献１に記載の屋外設置型温水装置の外装ケースにおいては、下側扉の上端部分にケース内方へ板厚分だけ段押しした段差が形成され、上側扉の下端部分を下側扉の上端部分（段押し部分）に密着状に外嵌させる構造が採用されている。上側扉の下端部分の裏面に密着裏面が形成され、
下側扉の上端部分（段押し部分）の表面に密着表面が形成され、前記密着裏面を段押し部分の
密着表面に緊密にラップさせることで、上側扉と下側扉の接続部を密閉している。尚、上側扉と下側扉は複数のビスにてケース本体に固定される。
【先行技術文献】
【特許文献】
【０００４】
【特許文献１】特開２００７−１５５１４０号公報
【発明の概要】
【発明が解決しようとする課題】
【０００５】
特許文献１の外装ケースでは、上側扉と下側扉は複数のビスにてケース本体に固定されるため、上側扉の表面と下側扉の表面とを容易に同一の鉛直面に一致させることができる。
しかし、このように外板部材を複数のビスで固定すると、複数のビスが外装ケースの表面に現われるため貯湯給湯装置の外観が悪化する。
【０００６】
そこで、外板部材をビスを用いずにケース本体に固定することが望ましい。そのため、本願出願人が採用している外装ケースでは、前面の上下２枚の外板部材の接続部を次のように形成している。即ち、上側外板部材の下端部をケース内方へ直角に折り曲げて剛性を高めたフランジ部を形成し、下側外板部材の上端部分には、ケース内方へ断面クランク状に段押しして剛性を高めたクランク部を形成し、前記フランジ部とその上側近傍部分をクランク部に外側からラップさせ、フランジ部をクランク部の段部に当接又は近接させている。
【０００７】
ここで、最近では、外装ケースの製作費と重量軽減のため外板部材の薄板化が進められているため、外板部材に歪みが発生し易くなっている。しかし、前記の接続部では、フランジ部とクランク部を何ら係合させていないため、外板部材の接続部近傍部分の外表面の連続性を確保することが困難になっている。
本発明の目的は、外板部材の端部同士を係合構造を介して接続するようにした外装ケースを有する貯湯給湯装置を提供することである。
【課題を解決するための手段】
【０００８】
請求項１の貯湯給湯装置は、湯水を貯留する貯湯槽と、この貯湯槽内の湯水が低温の場合に加熱する燃焼式の補助熱源機と、前記貯湯槽と前記補助熱源機とを内蔵し且つ複数のフレーム部材と、薄板からなる複数の外板部材とから構成された外装ケースとを備えた貯湯給湯装置であって、前記外装ケースの複数の面のうち少なくとも１面は複数の外板部材を有し、これら外板部材の接続部には複数の外板部材の一端部分同士が重なるラップ部が設けられている貯湯給湯装置において、一方の外板部材のラップ部は、外装ケース内方へ段押しされた段押部と、前記段押部の端部がコ字状に形成された第１コ字状部を有し、他方の外板部材のラップ部は、外装ケース内方へ折り返された折返部と、前記折返部の端部がコ字状に形成された第２コ字状部を有し、前記第１コ字状部が前記第２コ字状部に係合されていることを特徴としている。
【０００９】
上記の構成によれば、一方の外板部材のラップ部は段押部と第１コ字状部を有するため、剛性が高まり、その外板部材の外面の平面性を維持する上で有利である。他方の外板部材のラップ部は折返部と第２コ字状部を有するため、剛性が高まり、その外板部材の外面の平面性を維持する上で有利である。
しかも、前記第１コ字状部が前記第２コ字状部に係合されているため、複数の外板部材の接続部における外表面の連続性が確保され、外装ケースの外観を高めることができる。
【００１０】
請求項２の貯湯給湯装置は、請求項１の発明において、前記第１コ字状部に係合した補強金具が前記フレーム部材に固定されていることを特徴としている。
上記の構成によれば、前記第１コ字状部を補強金具を介して前記フレーム部材に固定するため、前記フレーム部材に対して第１，第２コ字状部を所期の位置に保持することができる。
【００１１】
請求項３の貯湯給湯装置は、請求項１又は２の発明において、前記第１，第２コ字状部が形成される複数の外板部材の外表面は同一鉛直面を形成していることを特徴としている。
上記の構成によれば、第１，第２コ字状部が形成される複数の外板部材の外表面の連続性を確保できるため、貯湯給湯装置の外観を高める上で有利である。
【発明の効果】
【００１２】
本発明によれば、以上のように種々の効果が得られる。
【図面の簡単な説明】
【００１３】
【図１】本発明の実施形態に係る貯湯給湯装置の斜視図である。
【図２】貯湯給湯装置の斜視図である。
【図３】外装ケースのケース本体の要部を示す斜視図である。
【図４】図３のＡ部の拡大図である。
【図５】図３のＡ部の縦断面図である。
【発明を実施するための形態】
【００１４】
以下、本発明を実施するための形態について、図面に基づいて説明する。
図１〜図３に示すように、この貯湯給湯装置１は、湯水を貯留する貯湯槽２と、この貯湯槽２内の湯水が低温の場合に加熱する燃焼式の補助熱源機３と、貯湯槽２と補助熱源機３と機器類を内蔵する外装ケース４であって複数のフレーム部材（複数の柱部材５ａ及び複数の桟部材５ｂ）と、薄鋼板からなる複数の外板部材６とから構成された外装ケース４とを備えている。
尚、以下の説明では、便宜上図１に示す矢印Ｌを左方、矢印Ｆを前方として説明する。
【００１５】
外装ケース４は、複数の柱部材５ａとこれら複数の柱部材５ａを連結する水平な複数の桟部材５ｂを含むフレーム５として形成された上下方向に細長の直方体状のフレーム５と、このフレーム５の天面と前後左右の４面を覆う複数の外板部材６とで構成されている。尚、外板部材６は厚さ０．４〜０．６ｍｍのカラー鋼板で構成されている。
【００１６】
外装ケース４内の左側部分の中段部と上部には、燃焼式の補助熱源機３が収容され、外装ケース４内の右側部分には断熱材で覆われた貯湯槽２が収容され、外装ケース４の左側部分の下部の内部には、ポンプや弁類や配管類が収容されている。
【００１７】
外装ケース４の天面は１枚の外板部材６ａで覆われ、外装ケース４の左側面は上下２枚の外板部材６ｂ，６ｃで覆われ、これら２枚の外板部材６ｂ，６ｃは柱部材５ａ又は桟部材５ｂにビスで固定されている。外装ケース４の右側面や後側面も左側面と同様に上下２枚の外板部材６で覆われ、それら外板部材６はビスで柱部材５ａ又は桟部材５ｂに固定されている。
【００１８】
外装ケース４の前面は２枚の外板部材６（下側外板９と上側外板１０）で覆われ、これら下側外板９と上側外板１０には上下方向に所定間隔おきに水平に形成された複数のビード１１（溝状部）が形成されている。これら複数のビード１１により下側外板９と上側外板１０が補強され、歪みにくくなっている。
【００１９】
図３〜図５に示すように、下側外板９と上側外板１０の接続部７には、これら下側外板９と上側外板１０の一端部分同士が重なるラップ部１２，１３が形成されている。
下側外板９と上側外板１０に形成された複数のビード１１と柱部材５ａの干渉を避けるため、柱部材５ａには複数のビード１１に対応する複数の凹入部５ｃであって内方へ凹んだ凹入部５ｃが形成され、接続部７においては凹入部５ｃの底壁部とこれに連なる側壁部を削除した開口５ｄも形成されている。ラップ部１２，１３は、下側外板９と上側外板１０の接続部７に対応する部位の凹入部５ｃを横断する状態に形成されている。
【００２０】
下側外板９（一方の外板部材）のラップ部１２は、外装ケース４内方へ段押しされた段押部１４と、この段押部１４の端部がコ字状に形成された第１コ字状部１５を有し、上側外板１０（他方の外板部材）のラップ部１３は、外装ケース４内方へ折り返された折返部１６と、この折返部１６の端部がコ字状に形成された第２コ字状部１７を有し、第１コ字状部１５が第２コ字状部１７に内面側から係合されている。
【００２１】
下側外板９の段押部１４の奥行きは、上側外板１０の折返部１６の厚みとほぼ等しく設定され、折返部１６が段押部１４の外面に当接した状態では、下側外板９の外表面と上側外板１０の外表面とが同一鉛直面を形成している。
【００２２】
フレーム５の前面の左右方向中央近傍部の柱部材５ａの中段部に補強金具１８が２つのビス１９で固定されている。この補強金具１８は、横長の係合板部１８ａと、この係合板部１８ａの下端中央から下方へ続く傾斜板部１８ｂ（下方ほど後方へ移行するように傾斜している）と、この傾斜板部１８ｂの下端から下方へ延びる鉛直状の脚部１８ｃと、この脚部１８ｃの下端から前方へ直角に屈曲された屈曲部１８ｄとを有する。この補強金具１８は厚さ約１ｍｍの鋼板で製作されている。
【００２３】
補強金具１８に関して、係合板部１８ａが下側外板９の第１コ字状部１５に下方から密着状に係合され、脚部１８ｃが２つのビス１９で柱部材５ａに固定されている。このように、補強金具１８の係合板部１８ａが第１コ字状部１５の内側に密着状に係合されているため、下側外板９の上端部の第１コ字状部１５が、左右方向のほぼ中央部位において補強金具１８により前後方向に変位しないように位置規制されている。
【００２４】
上側外板１０のラップ部１３の折返部１６の後壁部１６ａは、上方ほど前方へ移行するように鉛直面に対し緩傾斜している。この折返部１６に連なる第２コ字状部１７は、上記の後壁部１６ａと上壁部１７ａと縦壁部１７ｂとを有し、第２コ字状部１７の奥行きは第１コ字状部１５の奥行きよりも大きく形成され、縦壁部１７ｂは下方ほど後方へ移行するように鉛直面に対し傾斜して、凹入部５ｃに形成された開口５ｄに突入している。
【００２５】
後壁部１６ａと上壁部１７ａと縦壁部１７ｂは台形状に形成され、第２コ字状部１７が第１コ字状部１５に上方から係合されて、第１コ字状部１５の上端が第２コ字状部１７の後側の角部の内面に当接している。
こうして、第２コ字状部１７が前後方向に変位しないように第１コ字状部１５により位置規制されているため、第１，第２コ字状部１５，１７が形成される下側外板９と上側外板１０の外表面は同一鉛直面を形成している。
【００２６】
尚、折返部１６と第２コ字状部１７の上記の形状は一例を示すものに過ぎず、後壁部１６ａや縦壁部１７ｂが鉛直方向に向くように形成してもよい。
【００２７】
以上説明した貯湯給湯装置１の作用、効果、特に外装ケース４の作用、効果について説明する。下側外板９と上側外板１０に所定間隔おきに複数のビード１１が形成されているため、下側外板９と上側外板１０の剛性が高まって歪みにくくなり、平面性を確保するのに有利である。
【００２８】
また、下側外板９と上側外板１０のラップ部１２，１３が柱部材５ａの凹入部５ｃを横断する状態に配置したため、ラップ部１２，１３と柱部材５ａの干渉を防止することができる。
さらに、下側外板９と上側外板１０を柱部材５ａの外表面に当接させた状態に配置するため、下側外板９と上側外板１０の平面性を確保する上で有利である。
【００２９】
下側外板９のラップ部１２は段押部１４と第１コ字状部１５を有するため、剛性が高まり、下側外板９の外面の平面性を維持する上で有利である。上側外板１０のラップ部１３は折返部１６と第２コ字状部１７を有するため、剛性が高まり、上側外板１０の外面の平面性を維持する上で有利である。
【００３０】
しかも、第１コ字状部１５が第２コ字状部１７に係合されているため、下側外板９と上側外板１０の接続部７における外表面の連続性が確保され、外装ケース４の外観、つまり貯湯給湯装置１の外観を高めることができる。
第１コ字状部１５を補強金具１８を介してフレーム５に固定するため、フレーム５に対して第１，第２コ字状部１５，１７を所期の位置に保持することができ、
下側外板９と上側外板１０の接続部７における外表面の連続性を確保する上で有利である。
【００３１】
次に、前記実施形態を部分的に変更する例について説明する。
１）外装ケース４の前面を３枚の外板部材６で覆うことも可能であり、この場合も隣接する外板部材６の接続部７を前記実施形態と同様に構成することができる。
２）その他、当業者ならば本発明の趣旨を逸脱することなく、前記実施形態に種々の変更を付加して実施ことができる。
【符号の説明】
【００３２】
１      貯湯給湯装置
２      貯湯槽
３      補助熱源機
４      外装ケース
５      フレーム
５ａ    柱部材（フレーム部材）
５ｂ    桟部材（フレーム部材）
６      外板部材
７      接続部
９      下側外板（外板部材）
１０    上側外板（外板部材）
１２，１３    ラップ部
１４    段押部
１５    第１コ字状部
１６    折返部
１７    第２コ字状部
１８    補強金具
【図１】
2020159603.tif 000003
【図２】
2020159603.tif 000004
【図３】
2020159603.tif 000005
【図４】
2020159603.tif 000006
【図５】
2020159603.tif 000007